(57)【特許請求の範囲】
【請求項１】
ランプを収容する照明器具本体の外殻を構成する各部材の接合部をシーリング材でシールした防水型の照明器具本体と，前記照明器具本体に一端を連結したステムと，前記ステムの他端に連結された基台を設け，
前記基台内に，設置面に向かって開口する収容空間を形成し，該収容空間内にインバータ式電子安定器を取り付けると共に，
前記基台の壁面を貫通すると共に，前記収容空間内に所定の長さ延長されたコード引込孔を設け，該コード引込孔を介して前記照明器具本体に接続された電源コードを前記収容空間内に引き込むと共に，前記コード引込孔の両端部において前記電源コードの外周と前記コード引込孔の内周間をそれぞれシーリング材によりシールし，
前記収容空間の開口部を蓋板で塞ぎ，該蓋板と前記収容空間の開口縁間の間隙をシーリング材によってシールすると共に，前記蓋板に設けた貫通孔内に電源コードを挿入すると共に，前記貫通孔の内周と，該貫通孔に挿入された前記電源コードの外周間をシーリング材でシールしたことを特徴とする屋外設置型照明器具。
【請求項２】
前記設置面に接触される接触面を備えた保持枠を設け，該保持枠に前記基台の外周形状に対応した内周形状を有する開口を形成して，前記基台を前記保持枠の前記開口内に回転可能に保持すると共に，前記基台の外周と，前記保持枠の内周間の間隔をシーリング材によりシールし，
前記保持枠の前記接触面の少なくとも周縁部分に，前記設置面の表面形状に追従して変形する変形性を備えた板状のシーリング材を設けたことを特徴とする請求項１記載の屋外設置型照明器具。
【請求項３】
カップ状の保持容器を設け，該保持容器内に前記基台の前記蓋板による被蓋部分から外周に至る部分を嵌合して，前記保持容器と前記基台の蓋板部分とによって囲まれた緩衝空間を前記保持容器内に形成すると共に，
前記基台の外周と前記保持容器の内周間の間隙をシーリング材によりシールして前記緩衝空間をシールしたことを特徴とする請求項１記載の屋外設置型照明器具。
【請求項４】
前記照明器具本体に，該照明器具本体内外を貫通する通気孔を形成すると共に，前記通気孔をガス透過性を有する撥水シートで被蓋したことを特徴とする請求項１〜３いずれか１項記載の屋外設置型照明器具。
【請求項５】
前記撥水シートが撥油性を有することを特徴とする請求項４記載の屋外設置型照明器具。
【請求項６】
前記基台の前記収容空間を平面視において円形に形成し，前記インバータ式電子安定器の基板を前記収容空間の形状に対応した円形に形成すると共に，該円形基板上に前記安定器を構成する電子部品を取り付けたことを特徴とする請求項１〜５いずれか１孔記載の屋外設置型照明器具。
【請求項７】
前記ステムの上端に前記照明器具本体を揺動可能に軸支すると共に，前記ステムに対する前記照明器具本体の相対的な揺動角度の変化を表示する角度表示手段を設けたことを特徴とする請求項１〜６いずれか１項記載の屋外設置型照明器具。
【請求項８】
前記保持枠に対する前記基台の相対的な回転位置を表示する角度表示手段を設けたことを特徴とする請求項２記載の屋外設置型照明器具。
【発明の詳細な説明】
【技術分野】
【０００１】
本発明は屋外設置型照明器具に関し，より詳細には小型化と防水性能の向上とを両立させた屋外設置型照明器具に関する。
【背景技術】
【０００２】
例えば投光器等の照明器具が，庭園等のライトアップや，建物の入口等に設置して来訪者や侵入者があった際に点灯させることで防犯用の照明器具等として，屋外に設置して使用されている。
【０００３】
このように屋外に設置して使用される照明器具（屋外設置型照明器具）は，照明器具本体の外殻を構成する各部材の接合部や電源コードの引込孔等をシーリング材でシールすることで，防水・防塵性を持たせ，器具内に雨水や埃等が入り込むことによる故障等の発生を防止している。
【０００４】
一方，照明器具では，ランプを安定的に点灯するための安定器が設けられており，このような安定器として，従来の鉄芯型安定器に比較して高周波点灯のため発光効率が良く，照度当たりの消費電力を削減でき，節電による省エネルギー化が図れて環境問題にも貢献できると共に，電気料金が安く，しかも，高周波点滅のためにチラツキがなく目に優しい光源を提供することができる電子式安定器（インバータ式電子安定器)を使用することが一般化しつつある。
【０００５】
このインバータ式電子安定器は，半導体素子等の電子部品によって構成されることから，雨水等との接触により容易に破損するだけでなく，熱にも弱い性質を有する。
【０００６】
そのため，屋外設置型照明器具において防水構造を備えた照明器具本体内にインバータ式電子安定器を収容すれば，安定器の防水・防塵を図ることはできるものの，インバータ式電子安定器を構成する半導体素子が点灯の度にランプの熱によって加熱される結果，耐用年数が著しく短くなる。この点は，後述のように，特に，小型化されている屋外設置型照明器具において顕著である。
【０００７】
このようなランプによる加熱を防止しつつ，インバータ式電子安定器を照明器具本体内に収容しようとすれば，照明器具本体内を比較的大きな空間として形成し，ランプとインバータ式電子安定器を離して配置する等の措置を講じる必要がある。
【０００８】
しかしながら，照明器具本体内の空間を広く形成する場合には，照明器具本体が大型化してその設置に比較的広いスペースが必要となると共に，大型の照明器具は目立つために，庭園等に設置した際に景観を損なうおそれがある。
【０００９】
更に，照明器具の本体内は，前述したランプの点灯，消灯によって内部温度が激しく変化し，ランプの点灯時には内部の空気が加熱されて膨張する一方，この状態でランプを消灯すると，消灯によって照明器具本体内の空気温度が低下して収縮する結果，この照明器具本体内の空気の収縮に伴って，前述したように部材の接合部をシーリング材によってシールしていたとしても，この部分を介して外気の導入が行われてしまい，その結果，各部材間の接合部に雨水等が存在していると，この外気の吸入に伴って照明器具本体内に雨水が侵入することとなるために，完全な防水性を実現することが難しい。
【００１０】
また，前述のように照明器具本体内は温度変化が激しいために，雨水の直接の吸入が行われなかったとしても，湿度の高い外気が照明器具本体内に吸入されて照明器具本体内で冷却されると，空気中の水分が照明器具本体内で結露して，この結露した水分によってインバータ式電子安定器が故障するおそれもある。
【００１１】
このように，インバータ式安定器をランプと共に照明器具本体内に収容することにより生じる問題点を解消するために，インバータ式電子安定器を，ランプを収容する照明器具本体とは別体を成す防水ケース内に収容すると共に，該防水ケースと前記照明器具本体とを，両者間に間隔を生じさせるステムによって一体化した構造を備えた照明器具も提案されている（特許文献１参照）。
【先行技術文献】
【特許文献】
【００１２】
【特許文献１】特開２００３−３１０２５号公報
【発明の概要】
【発明が解決しようとする課題】
【００１３】
以上説明した従来技術の構成中，特許文献１として説明した構成にあっては，インバータ式電子安定器を，照明器具本体とは別に設けた防水ケース内に収容したことから，インバータ式電子安定器がランプの熱によって直接加熱されることがなく，また，ランプの点灯，消灯に伴う温度差の発生によって照明器具本体内に対して雨水が浸入したり，照明器具本体の冷却によって空気中の水分が照明器具本体内で結露したとしても，照明器具本体内にはインバータ式安定器が存在しないために，インバータ式電子安定器は保護される。
【００１４】
しかし，インバータ式電子安定器も，ランプ程の高温とはならないまでも通電によって発熱することから，インバータ式電子安定器を収容した防水ケース内でも，ランプの点灯時と消灯時とによって生じる温度差によって雨水等が浸入し，又は外気と共に吸い込まれた水分に結露が生じる場合がある。
【００１５】
このような雨水等の浸入等に対し，前掲の特許文献１に記載の発明にあっては，インバータ式電子安定器を構成する配線基板とこれに搭載された電子部品の表面全体に絶縁性の防湿皮膜を形成した上で，防水ケース内に収容することも提案するが，このような防湿皮膜を形成するために，シリコンゴム等の絶縁性樹脂の溶融液に基板上に取り付けられた電子部品を漬け込んだ後，引き上げ，余分な樹脂を滴下させ，乾燥させる必要があり（特許文献１「0023」〜「0026」欄），この構成を採用する場合には，前述した防水皮膜を形成するための工程を別個１工程設ける必要がある。
【００１６】
なお，照明器具本体内にランプと共にインバータ式電子安定器を収容する小型化されている屋外設置型照明器具においては，ランプの放熱による熱気及び該熱気によって安定器が加熱され，結露を含む雨水等の侵入を防止することが非常に困難であった。
【００１７】
そこで本発明は，上記従来技術の欠点を解消するためになされたものであり，インバータ式電子安定器を備えた屋外設置型の照明器具において，照明器具全体のサイズの小型化という要求を満たしつつ，インバータ式電子安定器がランプによる加熱によって破損等することを防止できると共に，照明器具の構成機器，特にインバータ式電子安定器を雨水や結露により生じた水等から好適に保護することができる屋外設置型照明器具を提供することを目的とする。
【課題を解決するための手段】
【００１８】
上記目的を達成するために，本発明の屋外設置型照明器具１は，ランプ１４を収容する照明器具本体１０の外殻を構成する各部材（実施例においてケーシング１１，フード１２，カバーガラス１３等）の接合部をシーリング材９１〜９４でシールした防水型の照明器具本体１０と，前記照明器具本体１０に一端（実施例において上端３０ａ）を連結したステム３０と，前記ステム３０の他端（実施例において下端３０ｂ）に連結された基台５０を設け，
前記基台５０内に，地面や床面，壁面等の設置面に向かって開口する収容空間５２を形成し，該収容空間５２内にインバータ式電子安定器２を取り付けると共に，
前記基台５０の壁面を貫通すると共に，前記収容空間５２内に所定の長さ延長されたコード引込孔５４を設け，該コード引込孔５４を介して前記照明器具本体１０に接続された電源コード４１を前記収容空間５２内に引き込むと共に，前記コード引込孔５４の両端部において前記電源コード４１の外周と前記コード引込孔５４の内周間をそれぞれシーリング材９５，９６によりシールし，
前記収容空間５２の開口部を蓋板５３で塞ぎ，該蓋板５３と前記収容空間の開口縁間の間隙をシーリング材９７によってシールすると共に，前記蓋板５３に設けた貫通孔５６内に電源コード４２を挿入すると共に，前記貫通孔５６の内周と，該貫通孔５６に挿入された前記電源コード４２の外周間をシーリング材９７でシールしたことを特徴とする（請求項１）。
【００１９】
前記構成の屋外設置型照明器具１において，前記設置面に接触される接触面を備えた保持枠７０を設け，該保持枠７０に前記基台５０の外周形状に対応した内周形状を有する開口７１を形成して，前記基台５０を前記保持枠７０の前記開口７１内に回転可能に保持すると共に，前記基台５０の外周と，前記保持枠７０の内周間の間隔をシーリング材９８によりシールし，
前記保持枠７０の前記接触面の少なくとも周縁部分に，前記設置面の表面形状に追従して変形する変形性を備えた板状のシーリング材９９を設けた構成とすることができる（請求項２，図６参照）。
【００２０】
更に本発明の屋外設置型照明器具は，上記保持枠７０に代えて，カップ状の保持容器８０を設け，該保持容器８０内に前記基台５０の前記蓋板５３による被蓋部分から外周に至る部分を嵌合して，前記保持容器８０と前記基台５０の蓋板５３部分とによって囲まれた緩衝空間８２を前記保持容器８０内に形成すると共に，
前記基台５０の外周と前記保持容器８０の内周間の間隙をシーリング材９９’によりシールして前記緩衝空間８２をシールした構成とすることもできる（請求項３，図１１参照）。
【００２１】
上記各構成の屋外設置型照明器具において，前記照明器具本体１０に，該照明器具本体１０内外を貫通する通気孔１１ｃを形成すると共に，前記通気孔１１ｃを，非通水性であるが水蒸気（気体状態の水分子），熱気及び空気を通過可能な性質（本願発明において，「ガス透過性」という）を有し，かつ，表面に接触した水が大きな接触角を得て水滴を形成する結果，上記通気孔を通過できない径となるシート（本願発明において，「撥水シート」という）１９で被蓋した構成とすることができる（請求項４）。
【００２２】
この場合，前述の撥水シート１９は，更に撥油性を有するものであることが好ましい（請求項５）。
【００２３】
更に，前記基台５０の前記収容空間５２を平面視において円形に形成し，前記インバータ式電子安定器２の前記基板２ａを前記収容空間５２の形状に対応した円形に形成すると共に，該円形基板２ａ上に前記安定器２を構成する電子部品を取り付けた構成とすることが好ましい（請求項６）。
【００２４】
また，前記ステム３０の上端３０ａに前記照明器具本体１０を揺動可能に軸支すると共に，前記ステム３０に対する前記照明器具本体１０の相対的な揺動角度の変化を表示する角度表示手段（実施例においてスケール板１１ｆ及びマーク３３）を設けるものとしても良い（請求項７）。
【００２５】
更に，保持枠７０に基台５０を回転可能に保持した構成の屋外設置型照明器具１にあっては，前記保持枠７０に対する前記基台５０の相対的な回転位置を表示する角度表示手段（実施例において，保持枠７０の平坦部７４に表示した目盛りと，基台５０に設けたマーク５８）を設けるものとしても良い（請求項８）。
【発明の効果】
【００２６】
以上で説明した本発明の構成により，本発明の屋外設置型照明器具１にあっては，以下のような顕著な効果を得ることができた。
【００２７】
インバータ式電子安定器２を照明器具本体１０を支持する基台５０内に形成した収容空間５２内に収容したことから，インバータ式電子安定器２がランプの熱により直接加熱されることを防止できた。
【００２８】
また，コード引込孔５４を所定の長さを有するものとして形成し，このコード引込孔５４の両端を，それぞれシーリング材９５，９６でシールした構成にあっては，この２つのシーリング材９５，９６間に形成された空間が，収容空間５２内の圧力変化を緩衝する圧力緩衝空間として機能し，このコード引込孔５４を介して雨水等が浸入することも好適に防止できる。
【００２９】
従って，特に小型化された屋外設置型照明器具，特に，照明器具本体内にランプと共にインバータ式電子安定器を収容する小型化されている屋外設置型照明器具において充分かつ好適な防水効果を得ることができる。
【００３０】
床面や壁面等の設置面に対して接触される接触面を備えた保持枠７０を設け，該保持枠７０に前記基台５０の外周形状に対応した内周形状を有する開口７１を形成して，前記基台５０を前記保持枠７０の前記開口７１内に回転可能に保持すると共に，前記基台５０の外周と，前記保持枠７０の内周間の間隔をシーリング材９８によりシールし，更に，前記保持枠７０の前記接触面の少なくとも周縁部分に，前記設置面である壁面等の表面形状に追従して変形する変形性を備えた板状のシーリング材９９を設けた構成にあっては，蓋板５３によって閉塞された収容空間５２の開口部は，保持枠７０と設置面によって囲まれた空間内に配置されることから，基台５０の収容空間５２の開口部を被蓋する蓋板５３の周縁部分に雨水等が入り込むことが確実に防止され，これにより，インバータ式電子安定器２が収容された収容空間５２内に対して雨水が入り込むことをより確実に防止することができた。
【００３１】
また，保持枠７０に対して前記基台５０が回転可能に保持されていることにより，壁面等の設置面に対して保持枠７０をビス留め等によって固定した状態であっても，保持枠７０を設置面より取り外すことなく基台５０部分のみを回転させて光の照射方向の変更を行うことができた。
【００３２】
更に，前記保持枠７０に代え，カップ状の保持容器８０内に前記基台５０の前記蓋板５３による閉塞部分から外周に至る部分を嵌合して，前記保持容器８０と前記基台５０の蓋板５３部分とによって囲まれた緩衝空間８２を前記保持容器８０内に形成すると共に，前記基台５０の外周と前記保持容器８０の内周間の間隙をシーリング材９９’によりシールして前記緩衝空間８２をシールした構成にあっては，蓋板５３によって閉塞された収容空間５２の開口部が保持容器８０によって覆われることから，この部分を介して収容空間５２内に雨水等が浸入することをより確実に防止することができた。
【００３３】
また，上記構成により保持容器８０内には緩衝空間８２が形成される結果，基台５０の収容空間５２内の圧力と外気との間に圧力差が生じた場合であっても，この緩衝空間８２が，両者の圧力の中間の圧力となることにより圧力差が緩和されてシーリング材９９’を乗り越えて雨水等が緩衝空間８２内に浸入することを防止できると共に，仮に雨水等がシーリング材９９’を越えて入り込んだとしても，この雨水は緩衝空間８２を越えて収容空間内に直接入り込むことができず，収容空間５２内のインバータ式電子安定器２が雨水等に曝される危険性を回避することができた。
【００３４】
前記照明器具本体１０に，該照明器具本体１０内外を貫通する通気孔１１ｃを形成すると共に，前記通気孔１１ｃを前記ガス透過性を有する撥水シート１９で被蓋した構成にあっては，前記通気孔１１ｃを介した吸・排気によって，ランプ１４の点灯，消灯によって生じる温度変化に伴う照明器具本体１０内外の圧力差が解消され，照明器具本体１０の外殻を成す部材間の連結部分（シール部分）を介して雨水等が浸入することを防止できると共に，通気孔１１ｃを介して雨水等が侵入することも防止できた。
【００３５】
特に，この撥水シート１９として撥油性のものを使用することにより，油分の付着による汚れの発生等によって前記ガス透過性が低下することも好適に防止することができた。
【００３６】
前記基台５０の前記収容空間５２を平面視において円形に形成すると共に，前記インバータ式電子安定器２の前記基板２ａを，前記収容空間５２の形状に対応した円形に形成すると共に，該円形基板２ａ上に前記安定器２を構成する前記電子部品を取り付けた構成としたことにより，収容空間５２内のスペースを有効に利用することができ，その結果，基台５０，ひいては屋外設置型照明器具１全体の小型化を図ることができた。
【００３７】
また，前記照明器具本体１０をステム３０の上端３０ａに揺動可能に取り付けると共に，前記ステム３０に対する前記照明器具本体１０の相対的な揺動角の変化を表示する角度表示手段（スケール板１１ｆ及びマーク３３）を設けたことにより，この角度表示手段によって表示される角度に従って，ステム３０に対する照明器具本体１０の傾斜角を調整することで，照明器具本体１０の揺動角を正確に調整することができた。
【００３８】
また，同様に，保持枠７０に対する基台５０の相対的な回転角度を表示する角度表示手段（保持枠７０の平坦部７４に表示した目盛りと，基台５０に設けたマーク５８）を設けた構成にあっては，照射光の向きを，この角度表示手段によって表示された角度に従い高精度に調整することができた。
【図面の簡単な説明】
【００３９】
【図１】本発明の屋外設置型照明器具の側面図。
【図２】本発明の屋外設置型照明器具の正面図。
【図３】本発明の屋外設置型照明器具の背面図。
【図４】本発明の屋外設置型照明器具の平面図。
【図５】図３のＶ−Ｖ線断面図（ケーシング１１及びダストカバー６０部分のみ）。
【図６】図２のＶＩ−ＶＩ線断面図。
【図７】本発明の別の屋外設置型照明器具の側面図。
【図８】本発明の別の屋外設置型照明器具の正面図。
【図９】本発明の別の屋外設置型照明器具の背面図。
【図１０】本発明の別の屋外設置型照明器具の平面図。
【図１１】図８のＸＩ−ＸＩ線断面図。
【発明を実施するための形態】
【００４０】
次に，添付図面を参照しながら本発明の屋外設置型照明器具１の構成について説明する。
【００４１】
〔屋外設置型照明器具の全体構造〕
図１〜図４，図６〜図１１において，符号１は本発明の屋外設置型照明器具であり，この屋外設置型照明器具１は，防水型の照明器具本体１０と，上端３０ａにこの照明器具本体１０を揺動可能に軸支するステム３０，及び上面に前記ステム３０の下端３０ｂが固着され，底面を地面や壁面等の設置面に向けて設置される基台５０を備え，この基台５０内に，安定器２である前述のインバータ式電子安定器２が収容可能に構成されている。
【００４２】
〔照明器具本体〕
前述の防水型の照明器具本体１０は，照明器具本体１０の外殻を構成する各部材の接合部をシーリング材でシールする等して，内部を防水・防塵と成すことができるよう構成したものであり，これらの各部材内に形成された空間内にランプ１４やランプソケット１７，リフレクタ１５等の必要な機器を収容可能としている。
【００４３】
本実施形態にあっては，このような照明器具本体１０の外殻を成す部材として，図６及び図１１に示すようにランプソケット１７からランプ１４及びランプ１４の外周に配置された碗形状のリフレクタ１５の外周部分を包囲するケーシング１１と，前記ケーシング１１の一端である開放端を延長する略円筒状のフード１２と，前記フード１２の前方側における端部を塞ぐカバーガラス１３を備えている。
【００４４】
このうち，前述のケーシング１１は，前述のランプソケット１７を収容する部分において略一定幅の空間が内部に形成された円筒状に形成されていると共に，フード１２との連結側に向かうに従って徐々に内部形状を拡大させる漏斗型に形成されており，この円筒部分の一端（図６中右側の端部）を閉塞する壁体１１ａに設けた貫通孔１１ｂを介して前述のランプソケット１７に接続された電源コード４１がこの貫通孔１１ｂを介して照明器具本体１０外に引き出され，後述する基台５０内に収容されたインバータ式電子安定器２に接続される。
【００４５】
このランプソケット１７には，光源であるランプ１４が取り付けられており，このランプ１４の外周側を覆うリフレクタ１５の細径側の端部が，ケーシング１１の円筒部分に支持具１８を介して取り付けられている。
【００４６】
そして，ケーシング１１の前記開放端には，該ケーシング１１の開放端を延長するように，前端をカバーガラス１３で塞がれた円筒状のフード１２が取り付けられている。
【００４７】
ランプ１４の先端には，図６に示すようにキャップ１６が取り付けられており，これによりリフレクタ１５によって反射されることなくランプ１４より直接前方に照射される光をカットして，リフレクタ１５によって反射された，制御された光のみを照明器具本体１０の前方に照射することができるように構成している。
【００４８】
なお，図示の例では，リフレクタ１５によってランプによって照射された光を反射制御して，照射角５°で照射できるように構成しているが，この照射角は，前述した５°に限定されず，照明器具の使用目的等に応じて各種の角度に設定することができる。
【００４９】
上記構成において，フード１２の前端を被蓋する前述のカバーガラス１３の外周とフード１２の端部内壁間の間隔は，シーリング材９１によってシールされており，本実施形態にあってはこの部分に紫外線硬化型シリコーン樹脂を充填すると共に，この紫外線硬化型シリコーン樹脂を紫外線の照射によって硬化させて前述のシーリング材９１としている。
【００５０】
また，このフード１２の他端開口部には，前述のケーシング１１の開口端を受け入れて嵌合することができるように構成されており，この嵌合部分に，フッ素樹脂製のＯリング９２と，シリコーン樹脂製のＯリング９３をそれぞれ取り付けることにより，ケーシング１１とフード１２との連結部分をこれらのＯリングから成るシーリング材９２，９３によって二重にシールしている。
【００５１】
更に，前述のケーシング１１の円筒部分後端におけるコード４１の延出部分に，シリコンゴム製のシーリング材９４を取り付けることにより，このシーリング材９４によって電源コード４１の導入部分におけるケーシング１１をシールしている。
【００５２】
このような屋外設置型照明器具１に使用するコードとしては，一般に直径７mm以上の太さを有するキャブタイヤケーブルが使用されるが，本実施形態にあっては，この一般的なキャブタイヤケーブルに対して大幅に径が小さく形成された，直径４．８mmのキャブタイヤケーブルを使用しており，これにより，装置全体の小型化と見栄えの良さを実現していると共に，シール部分の小型化を図っている。
【００５３】
前述のケーシング１１の円筒部分であって，後述するステム３０との連結位置の近傍には，このケーシング１１を貫通して内部空間と連通する通気孔１１ｃが設けられており，この通気孔１１ｃをガス透過性を有する撥水シート１９で塞ぐことにより，この通気孔１１ｃを介して照明器具本体１０内に雨水等の水滴が浸入することを防止しつつ，通気孔１１ｃを介した照明器具本体１０内の吸・排気を行うことができるようにしている。
【００５４】
従って，ランプ１４の点灯時において照明器具本体１０内の空気が加熱されて膨張した際には，通気孔１１ｃを介して照明器具本体１０内の排気が行われると共に，ランプ１４の消灯によって照明器具本体１０内が冷却されて内部の空気が収縮した場合には，通気孔１１ｃを介して外気が照明器具本体１０内に吸気され，これにより照明器具本体１０内外の圧力差を解消することで，この通気孔１１ｃ以外の部分，例えば前述した各シーリング材９１〜９４によるシール部分を介した吸・排気が行われること，従って，このような吸・排気(特に吸気)に伴う雨水の浸入等が生じることを防止している。
【００５５】
このようなガス透過性を備えた撥水シート１９として，本実施形態では，厚さ０．３mmのＰＴＦＥ樹脂製シート乃至はフィルムに孔径１／１０００mm程度の孔を多数形成して，耐水圧５０kpaの撥水シートとしたものであり，撥水性（疎水性）の樹脂であるＰＴＦＥ樹脂と接触した水は，大きな接触角を得て水滴を形成する結果，上記孔径の孔を通過できないものを用いている。上記孔径は，非通水性であるが，空気，熱気及び水蒸気等のガスを通過させるガス透過性を確保するに十分な大きさを有するものであるが，上記撥水シート１９としては，例えばシリコーン樹脂やフッ素樹脂等によって撥水加工した繊維（繊維の材質には，一般に衣類などに使用される天然・合成繊維の他，金属やグラスファイバー，カーボン繊維等も含む）の織布や不織布についても同様に使用することができ，また，例えば焼結金属等によって形成された多孔質体の金属部分に前述したフッ素樹脂やシリコーン樹脂を塗布する等して前述した撥水性を付与したもの等，各種のものを使用可能である。
【００５６】
前述のケーシング１１の上面側における外周には，図３に示すように複数の放熱フィン１１ｄが略等間隔に設けられていると共に，この放熱フィン１１ｄの外周部分を覆う，縦割円筒状の本体６１を有するダストカバー６０を取り付けて，屋外に設置した際に放熱フィン１１ｄ間に埃やゴミ等が溜まることを防止していると共に，このダストカバー６０の本体６１内面からも放熱フィン６２を突設させ，この放熱フィン６２をケーシング１１の外周に設けた前述の放熱フィン１１ｄ間に配置することで，表面積の増大により照明器具本体１０の放熱性を向上させている。
【００５７】
好ましくは，ダストカバー６０の放熱フィン６２がケーシング１１外周と接触せず，また，ケーシング１１の放熱フィン１１ｄがダストカバー本体６１の内面と接触しないよう，両者間に所定の隙間が形成されるように取り付けることが好ましく，このようにして両者間に隙間を設けた配置とすることで，ケーシング１１の外周とダストカバー内周間に対する空気の通過性が良好なものとなり，照明器具本体１０の放熱性をより向上させることができる。
【００５８】
なお，図６中の符号１１ｅは，舌片で，後述するステム３０の上端に照明器具本体１０を取り付けるための取付用の部材で，図３に示すように，ステム３０は，上端に上向きに開口するコ字状の切り込み３１が形成され，このステムの前記切り込み３１内に，前記舌片１１ｅを挿入すると共に，ステム３０の上端３０ａに設けた軸孔と，前記舌片１１ｅに設けた軸孔に，共通の支軸３２を挿入することにより，ステム３０の上端３０ａに前述の照明器具本体１０が揺動可能に取り付けられている。
【００５９】
また，図１及び図３中，符号１１ｆはスケール板であり，このスケール板１１ｆに図１に示すように前記支軸３２を中心とした所定の角度毎，図示の実施形態にあっては１５°毎に目盛りが表示されていると共に，ステム３０の上端３０ａ部分には，このスケール板１１ｆ上に表示された目盛りを指す楔型のマーク３３が表示されている。
【００６０】
従って，このマーク３３の先端に配置される目盛りの位置を確認しながら照明器具本体１０を揺動させることにより，照明器具本体１０の揺動角を，図示の実施例にあっては１５°ずつ正確に揺動させることができるものとなっている。
【００６１】
なお，前述の舌片１１ｅと前記ステム３０の上端３０ａ間を連結する前述の支軸３２として，例えばボルトを使用し，このボルトにナットを螺合して，ボルトの頭部とナット間でステム３０の上端３０ａと舌片１１ｅとを共に挟持することで，照明器具本体１０を所定の揺動角において固定できるように構成するものとしても良く，又は，舌片１１ｅの側面と，ステム３０上端３０ａの切り込み３１内壁に，前記支軸３２を中心として放射状に形成された図示せざる溝及び凸条を形成する等して，該溝と凸条との嵌合により所定角度の揺動毎に前記溝及び凸条の嵌合位置が変化して，所定角度の揺動角毎に照明器具本体１０の揺動を行うことができるように構成する等しても良い。
【００６２】
〔基台〕
以上のようにして，上端３０ａが前記照明器具本体１０に取り付けられたステム３０の下端３０ｂ側は，基台５０の上面に対して取り付けられており，これにより，基台５０上にステム３０が立設されている。
【００６３】
このような基台５０に対するステム３０の取り付けは，図示の実施形態にあっては，図１，図２及び図６に示すように基台５０の上面より突出する角柱状の凸部５１を設け，この凸部５１の側面にステム３０の側面を重ね合わせた状態でボルト留めすることにより取り付けている。
【００６４】
図示の例では，図６に示すように凸部５１の側面に形成されたほぞ５１ａを，ステム３０の下端３０ｂ側に設けたほぞ穴３４内に嵌合した状態で両者間の取り付けを行うように構成して両者の位置合わせを容易と成すと共に，両者間が強固に連結されるように構成しているが，このようなほぞ５１ａやほぞ穴３４の形成は必ずしも必要ではなく，また，ステム３０と基台５０との連結は，基台５０上の所定の位置に，ステム３０の下端３０ｂを，ステム３０が上方に向かって立設されるように取り付けることができるものであれば上記の取付方法に限定されず，各種の方法によって取り付けることが可能である。
【００６５】
前述の基台５０には，その内部に，インバータ式電子安定器２を収容するための収容空間５２が形成されている。
【００６６】
この収容空間５２は，床面等の水平面に設置した状態を示す図６に示す実施形態にあっては，設置面である床面等に向かって下向きに開口した状態が示されている。
【００６７】
この収容空間５２内に対するインバータ式電子安定器２の取り付けは，該安定器２を構成する基板２ａが，前述した収容空間５２内の天井部分に取り付けられていると共に，この基板２ａに取り付けられた各電子部品等が，前記基板２ａの表面から下向きに突出するよう取り付けられている。
【００６８】
この収容空間５２の高さは，このようにインバータ式電子安定器２を取り付けた際，基板２ａに取り付けた電子部品のいずれ共に，後述する蓋板５３との接触を回避し得る十分な高さとなるように形成されており，また，前記収容空間５２の天井に対する前記基板２ａの取り付けは，天井に対して基板２ａが所定の間隔δを介して取り付けられるように構成することが好ましい。
【００６９】
このように構成することで，仮に収容空間５０内に雨水等が浸入した場合であっても，この雨水等が直接インバータ式電子安定器２と接触することが防止できる。
【００７０】
図６に示す実施形態にあっては，前述のインバータ式電子安定器２の基板２ａを，前述の収容空間５２の内径と略同一形状を成す円盤状に形成し，この基板２ａ上にインバータ式電子安定器２を構成する電子部品を取り付けるものとすることで，収容空間５２内を有効に利用して，装置全体の小型化を図っている。
【００７１】
基台５０の上面に設けた前述の凸部５１には，この凸部５１を貫通するコード引込孔５４が設けられており，前述の照明器具本体１０内においてランプソケット１７に接続されたコード（キャブタイヤコード）４１がこのコード引込孔５４を介して基台５０内に形成された収容空間５２内に引き込まれ，前述のインバータ式電子安定器２の出力端子に接続される。
【００７２】
このコード引込孔５４は，凸部５１を貫通して形成する等して上下に比較的長さのあるものとして形成し，図示の例にあっては，このコード引込孔５４を，収容空間５２内に設けた円筒部５５によって延長することで，コード引込孔５４の下端を，蓋板５３の近傍において開口している。
【００７３】
このようにして，上下に比較的長い長さで形成されたコード引込孔５４の上端と下端は，それぞれ上下のシーリング材９５，９６によってシールすることで，２つのシーリング材９５，９６間で塞がれたコード引込孔５４内の空間を，収容空間５２内外の圧力差を緩衝するための圧力緩衝空間として作用させている。
【００７４】
すなわち，インバータ式電子安定器２に対する通電，及び通電の停止による収容空間５２内の温度変化に伴い，収容空間５２内の圧力が変化してコード引込孔５４の下端をシールするシーリング材９６が空気の通過を許容したとしても，この圧力緩衝空間内が収容空間５２と外気との中間の圧力となることにより圧力差が緩和される結果，上側のシーリング材９５によるシール性が維持され，その結果，シーリング材９５を越えて雨水がコード引込孔５４内に浸入することが防止されている。
【００７５】
上記シーリング材９５，９６には，ニトニルゴム，水素添加ニトニルゴム（ＨＮＢＲ），エチレンプロピレンゴム（ＥＰ，ＥＰＴ，ＥＰＤＭ），フッ素樹脂，シリコーンを用いることができる。なお，ニトニルゴム，水素添加ニトニルゴム（ＨＮＢＲ），エチレンプロピレンゴム（ＥＰ，ＥＰＴ，ＥＰＤＭ），フッ素樹脂は，非通気性に優れるため，設置場所等に応じ，好適である。
【００７６】
以上のようにして基台５０の収容空間５２内に取り付けられたインバータ式電子安定器２の入力端子に対しては，図示せざる電源に接続される電源コード４２として，同様に直径４．８mmのキャブタイヤコードが接続されている。
【００７７】
この電源コード４２は，蓋板５３の中央部に形成された貫通孔５６を貫通して収容空間５２外に延出されていると共に，この蓋板５３によって前記収容空間５２の下端開口部を被蓋している。
【００７８】
この蓋板５３の外周と前記収容空間５２の下部開口間の間隙，及び，前記電源コード４２の外周と蓋板５３に形成した貫通孔５６の内周間の間隙は，いずれもシリコーンシーリング材９７の充填によってシールされ，基台５０内に形成された収容空間５２内が封止されている。
【００７９】
以上のように構成された屋外設置型照明器具には，更に，取付壁面に対して底面を向けて取り付けられる保持枠７０を設け，この保持枠７０内に図６に示すように基台５０を回転可能に保持することで壁面に対して取り付け可能としても良く，又は，図１１に示すように，保持容器８０内に基台５０を保持して，この保持容器８０の例えば底面に設けた剣状部材８１を地面等に挿入埋設することにより，庭園等の所望の位置に設置することができるように構成しても良い。
【００８０】
〔保持枠〕
前述の構成のうち，図１〜図４，図６に示すように保持枠７０に基台５０を取り付けた構成にあっては，図６に示すように基台５０の外側面形状に対応した内側面形状を有する開口７１を保持枠７０の中心に形成し，この開口７１内に前述の基台５０を回転可能に収容する。
【００８１】
本実施形態では，前述の保持枠７０に形成された開口７１は，図６に示す断面形状において，下端側より垂直方向に上方に立ち上がった垂直部と，この垂直部より開口の中心側に向かってオーバハング状に迫り出した傾斜部を有しており，このように形成された保持枠７０の開口７１内に，保持枠５０の下面側より前記オーバハング状に形成された傾斜面と嵌合するテーパ面が外周に形成された前述の基台５０を挿入することで，保持枠７０の上方側に基台５０を抜き取ることができないように嵌合させている。
【００８２】
そして，図６に示すように，基台５０の外周と保持枠７０の内周間の間隙に例えばフッ素樹脂製のＯリングをシーリング材９８として配置した状態で，保持枠７０の開口７１内に基台５０を挿入した後，保持枠７０の下端開口部周縁に，固定枠７２を取り付けることにより，図示の実施形態にあっては，基台５０の下端に設けた段部５７にこの固定枠７２の中心に形成された開口縁を係止することにより，保持枠７０内に挿入された前述の基台５０を，保持枠７０の下面側からも抜き取ることができないようにしている。
【００８３】
好ましくは，この固定枠７２には，図６に示すようにその開口縁より下方に向かって突出する円筒壁７２ａを設け，この円筒壁７２ａによって基台５０の底部が後述する被覆板７３より離間するように構成することが好ましい。
【００８４】
保持枠７０の底面には，更に中央に所定径の開口７３ａが形成された被覆板７３が取り付けられ，前記開口７３ａの形成部分を除き，前記保持枠７０の底面側を覆っている。
【００８５】
そして，この被覆板７３の裏面に，設置面である床面や，壁面等の表面に対して追従して変形する変形性を備えた板状のシーリング材９９，本実施形態にあってはＥＰＴゴムの板材を取り付けることにより，例えば床面や壁面（水平壁，垂直壁のいずれも含み，例えば庇の裏面に倒立した状態で取り付けることも可能）等に保持枠７０の底面を当接させた状態で取り付けた際，保持枠７０の裏面と壁体間の間隔がシールされて，保持枠７０によって囲まれた基台５０の裏面側に雨水等が浸入することを防止している。
【００８６】
なお，前述の保持枠７０の上端に形成された平坦部７４には，図４に示すように所定の角度（図示の例では１５°）毎に目盛りが表示されている一方，保持枠７０の上端より突出した部分において基台５０に板状のマーク５８が設けられており（図２参照），保持枠７０内で基台５０を回転させると，保持枠７０に対して基台５０が相対的に何度回転した状態にあるかを表示することができるようになっており，前記目盛りとマーク５８とによって角度表示手段が構成されている。
【００８７】
従って，この角度表示手段が表示する角度に従って，基台５０の回転角度を調整することにより，基台５０の向きを高精度に調整することができるものとなっている。
【００８８】
〔保持容器〕
なお，図１〜図４及び図６を参照して説明した屋外設置型照明器具１の構成にあっては，保持枠７０に基台５０を回転可能に取り付けるものとして説明したが，この構成に代え，図７〜図１１に示すように，保持容器８０内に前述の基台５０の底部を収容した構成とすることもできる。
【００８９】
この保持容器８０は，図１１に示すように上向きに開口するカップ状に形成されており，この保持容器８０内に前述の基台５０の外側壁部分を嵌合すると共に，この保持容器８０の内壁と，基台５０間の間隔をＥＰＴゴム等のシーリング材９９’によってシールすることで，基台５０の底部側における保持容器８０内に緩衝空間８２を形成したものである。
【００９０】
このように，基台５０の外側面から底面にかけてを前述の保持容器８０内に保持することにより，インバータ式電子安定器２が収容された基台５０の収容空間５２は，その下端開口部が保持容器８０によって覆われるものとなるため，この部分を介して雨水等が浸入することを防止できる。
【００９１】
しかも，前述した緩衝空間８２が形成されていることにより，シーリング材９７によるシール部分を介して空気の通過が生じた場合であっても，この緩衝空間８２が収容空間５２と外気間の中間の圧力となることにより，シーリング材９９’によるシール性が維持される結果，緩衝空間８２内に対する吸排気や，これに伴う雨水の浸入等を防止できる。
【００９２】
また，仮に何らかの原因によってシーリング材９９’によるシール部分を介して緩衝空間８２内に雨水等が入り込むことがあったとしても，このようにして入り込んだ雨水は，緩衝空間８２内に補集されて収容空間５２内に浸入することはできないために，インバータ式電子安定器２を破損等させることがない。
【００９３】
図示の実施形態にあっては，前述の保持容器８０の底面に剣状部材８１を設け，この剣状部材を地面等に突き刺すことにより，庭園等の適宜任意の位置に本発明の屋外設置型照明器具を設置可能なものとしている。
【００９４】
このような剣状部材８１の取り付けを行うために，図示の実施形態にあっては，前述の保持容器８０の底部に貫通孔８３を形成し，この貫通孔８３に挿入した固定ピン８４を介して前記剣状部材８１を固定するものとしている。従って，この貫通孔８３と固定ピン８４間の間隙部分についてもニトリルゴム等のシーリング材１００でシールするものとしている。又，これに代えて，例えば，この剣状部材８１を保持容器８０と一体的に形成する等して，保持容器８０の底面に貫通孔８３等を形成しない構成としても良い。
【００９５】
なお，図１１に示すように保持容器８０によって基台５０の外側面から底面側を覆った構成にあっては，基台５０の蓋板５３を貫通して収容空間５２より延出させた電源コード４２を保持容器８０外に延出するために，保持容器８０の側壁に貫通孔８５を形成し，この貫通孔８５にニトリルゴム等のシーリング材１０１を介して電源コード４２に外嵌された止水キャップ８６を取り付けることで，この部分を介して保持容器８０内に雨水等が入り込むことを防止している。
【００９６】
また，この電源コード４２の先端を，専用の防水接続ジョイント８７を使用して電源からの，図示せざるコードに接続することで，結線部分を強固に固定して，ドライバー等の工具を使用しなけれ容易に外れないようにすると共に，結線部の防水性をも向上させて，漏電等による事故の発生等についても防止している。
【符号の説明】
【００９７】
１  屋外設置型照明器具
２  安定器（インバータ式電子安定器）
２ａ  基板
１０  照明器具本体
１１  ケーシング
１１ａ  壁体
１１ｂ  貫通孔
１１ｃ  通気孔
１１ｄ  放熱フィン
１１ｅ  舌片
１１ｆ  スケール板
１２  フード
１３  カバーガラス
１４  ランプ
１５  リフレクタ
１６  キャップ
１７  ランプソケット
１８  支持具
１９  撥水シート
３０  ステム
３０ａ  上端
３０ｂ  下端
３１  切り込み
３２  支軸
３３  マーク
３４  ほぞ穴
４１，４２  コード（キャブタイヤケーブル）
５０  基台
５１  凸部
５１ａ  ほぞ
５２  収容空間
５３  蓋板
５４  コード引込孔
５５  円筒部
５６  貫通孔
５７  段部
５８  マーク
６０  ダストカバー
６１  ダストカバー本体
６２  放熱フィン
７０  保持枠
７１  開口
７２  固定枠
７２ａ  円筒壁
７３  被覆板
７３ａ  開口
７４  平坦部
８０  保持容器
８１  剣状部材
８２  緩衝空間
８３  貫通孔
８４  固定ピン
８５  貫通孔
８６  止水キャップ
８７  防水接続ジョイント
９１〜１０１  シーリング材
【図１】
0005433435.tif 000002
【図２】
0005433435.tif 000003
【図３】
0005433435.tif 000004
【図４】
0005433435.tif 000005
【図５】
0005433435.tif 000006
【図６】
0005433435.tif 000007
【図７】
0005433435.tif 000008
【図８】
0005433435.tif 000009
【図９】
0005433435.tif 000010
【図１０】
0005433435.tif 000011
【図１１】
0005433435.tif 000012